(57)【要約】【課題】シンプルな構成で、防耐火性能並びに通気性能に優れ、軒天の種々の箇所に設置可能で、十分な空気流入空間を確保することができる軒天換気材を提供することを課題とする。【解決手段】中間に長さ方向に伸びる通気部２を有する上面板１と、通気部２の下側に連設される通気材収納部３と、通気材収納部３内に熱膨張材４と共に収装される側面が四角形の通気材５と、通気材収納部５の内方側側面６との間に間隔を置いて対設される対向板７とから成り、通気材収納部３の底面９が傾斜面にされることで、通気材５の下に空気流入空間１０が生成され、内方側側面６の下部から底面９にかけて開口して形成される細長の空気流入口１１が長さ方向に多数並設され、空気流入口１１から流入する空気が、空気流入空間１０から通気材５内を上昇して抜けるようにした。【選択図】図１
2019112781.tif 000002
【特許請求の範囲】
【請求項１】
中間に長さ方向に伸びる通気部を有する上面板と、前記通気部の下側に連設される通気材収納部と、前記通気材収納部内に熱膨張材と共に収装される側面が四角形の通気材と、前記通気材収納部の内方側側面との間に間隔を置いて対設される対向板とから成り、
前記通気材収納部の内方側側面が外方側側面よりも縦長にされることにより、前記通気材収納部の底面が傾斜面にされることで、前記通気材の下に空気流入空間が生成され、前記内方側側面の下部から前記底面にかけて開口して形成される細長の空気流入口が長さ方向に多数並設され、前記空気流入口から流入する空気が、前記空気流入空間から前記通気材内を上昇して抜けるようにしたことを特徴とする軒天換気材。
【請求項２】
前記通気材収納部の底面は、前記通気材収納部の外方側側面を超えて延長され、前記上面板との間に軒天材装入部が形成される、請求項１に記載の軒天換気材。
【請求項３】
前記対向板の下端は斜め上方に延長され、前記上面板との間に軒天材装入部が形成される、請求項１又は２に記載の軒天換気材。
【請求項４】
前記通気材は、上下方向に抜ける通気路を多数設けたものである、請求項１乃至３のいずれかに記載の軒天換気材。
【請求項５】
前記熱膨張材は、前記空気流入口の上側において、前記通気材収納部の内方側側面と前記通気材とに挟持される、請求項１乃至４のいずれかに記載の軒天換気材。
【請求項６】
前記熱膨張材は、前記通気材の中間部に挟入される、請求項１乃至４のいずれかに記載の軒天換気材。
【請求項７】
前記上面板の幅方向両端縁に多数のビス穴が穿設される、請求項１乃至６のいずれかに記載の軒天換気材。
【発明の詳細な説明】
【技術分野】
【０００１】
本発明は、軒天換気材に関するものであり、より詳細には、例えば、軒裏等に設置される、防耐火性能並びに通気性能に優れた軒天換気材に関するものである。
【背景技術】
【０００２】
近年、住宅耐久性及び室内温熱環境向上の要求に伴い、小屋裏換気の重要性が増大してきている。小屋裏換気のために、軒先に換気口を設けることが考えられるが、軒先に換気口、即ち、開口を設けることは、防火上の規制対象となるため、防耐火試験に合格しない限り、実施することができない（棟に換気口を設ける場合については、規制がない。）。
【０００３】
かかる観点から、本願出願人は先に、実際の現場において、極力特別な技術や材料を用いることなく万人に施工が可能であって、しかも防耐火試験をクリアーすることが可能な防耐火性能を有する軒裏構造の提案をしている（特許文献１：特開２０１３−４４１２９号公報）。その提案に係る軒裏構造は、外壁材と鼻隠し下地材との間の間隙に、板金を折曲成形し、熱膨張材と樹脂製通気材を組み込んで成る軒天換気材を配置するものである。
【０００４】
しかし、この軒裏構造の場合の軒天換気材は、外壁材と鼻隠し下地材との間の間隙内に設置されるものであり、その間隙が空気流入空間となるため、十分な空気流入空間を確保することが難しいという問題がある。
【先行技術文献】
【特許文献】
【０００５】
【特許文献１】特開２０１３−４４１２９号公報
【発明の概要】
【発明が解決しようとする課題】
【０００６】
上述したように、上記従来の軒天換気材の場合は、その設置場所の関係で十分な空気流入空間を確保することが難しいという問題があった。そこで本発明は、シンプルな構成で、防耐火性能並びに通気性能に優れ、軒天の種々の箇所に設置可能で、十分な空気流入空間を確保することができる軒天換気材を提供することを課題とする。
【課題を解決するための手段】
【０００７】
上記課題を解決するための請求項１に記載の発明は、中間に長さ方向に伸びる通気部を有する上面板と、前記通気部の下側に連設される通気材収納部と、前記通気材収納部内に熱膨張材と共に収装される側面が四角形の通気材と、前記通気材収納部の内方側側面との間に間隔を置いて対設される対向板とから成り、前記通気材収納部の内方側側面が外方側側面よりも縦長にされることにより、前記通気材収納部の底面が傾斜面にされることで、前記通気材の下に空気流入空間が生成され、前記内方側側面の下部から前記底面にかけて開口して形成される細長の空気流入口が長さ方向に多数並設され、前記空気流入口から流入する空気が、前記空気流入空間から前記通気材内を上昇して抜けるようにしたことを特徴とする軒天換気材である。
【０００８】
一実施形態においては、前記通気材収納部の底面は、前記通気材収納部の外方側側面を超えて延長され、前記上面板との間に軒天材装入部が形成される。また、前記対向板の下端は斜め上方に延長され、前記上面板との間に軒天材装入部が形成される。
【０００９】
一実施形態においては、前記通気材は、上下方向に抜ける通気路を多数設けたものであり、前記熱膨張材は、前記空気流入口の上側において、前記通気材収納部の内方側側面と前記通気材とに挟持され、他の実施形態においては、前記熱膨張材は、前記通気材の中間部に挟入される。
【００１０】
一実施形態においては、前記上面板の幅方向両端縁に多数のビス穴が穿設される。
【発明の効果】
【００１１】
本発明は上記のとおりであるので、シンプルな構成で、防耐火性能並びに通気性能に優れ、軒天の種々の箇所に設置可能で、十分な空気流入空間を確保することができる効果がある。
【図面の簡単な説明】
【００１２】
【図１】本発明に係る軒天換気材の一実施形態を示す上方視斜視図である。
【図２】本発明に係る軒天換気材の一実施形態を示す下方視斜視図である。
【図３】本発明に係る軒天換気材の一実施形態の側面図である。
【図４】本発明に係る軒天換気材の他の実施形態の側面図である。
【図５】本発明に係る軒天換気材の施工例を示す下方視斜視図である。
【図６】本発明に係る軒天換気材の種々の施工例を示す図である。
【図７】本発明に係る軒天換気材の種々の施工例を示す図である。
【発明を実施するための形態】
【００１３】
本発明を実施するための形態について、添付図面を参照しつつ説明する。図１〜４に示されるように、本発明に係る軒天換気材Ａは、中間に長さ方向に伸びる通気部２を有する上面板１と、通気部２の下側に連設される通気材収納部３と、通気材収納部３内に熱膨張材４と共に収装される側面が四角形の通気材５と、通気材収納部３の内方側側面６との間に間隔を置いて対設される対向板７とで構成されるものである。上面板１、通気材収納部３及び対向板７は、いずれも鋼板又はこれと同等資材製である。
【００１４】
通気材収納部３の底面９は、その内方側側面６を外方側側面８よりも縦長にすることにより、斜面にされる。かくして、熱膨張材４と通気材５の下側に、空気流入空間１０が生成される。内方側側面６の下部から底面９にかかる部分が細長に開口され、空気流入口１１とされる。空気流入口１１は、長さ方向に多数並設される（図２参照）。この場合、空気流入口１１から入った空気は、空気流入空間１０を経て通気材５の下面から上面に抜ける。このように、空気流入口１１が通気材５の下面から隔てられて空気流入空間１０が確保されることにより、通気材５の下面を閉塞する要素がなくなって全面開口状態となるため、良好な通気状態となる。
【００１５】
通気材収納部３の底面９は、外方側側面８を超えて延長され、その延長部９ａと上面板１との間に軒天材装入部１２が形成される。また、対向板７の下端が斜め上方に延長され、その延長部７ａと上面板１との間に軒天材装入部１３が形成される。
【００１６】
例えば、上面板１と通気材収納部３は、１枚の金属板を折曲して形成することができる（特に、図３参照）。即ち、先ず下方向に直角に折曲して上面板１の一半部１ａと内方側側面６とを形成し、内方側側面６の下端を斜め上方に折曲して底面９を形成する。次いで、底面９を延長して折り返し、その端部を垂直方向に折曲して底面延長部９ａ及び外方側側面８を形成し、以て、内方側側面６、底面９及び外方側側面８に囲まれて成る通気材収納部３を形成する。そして、外方側側面８の上端を水平に折曲して上面板１の他半部１ｂを形成する。なお、空気流入口１１を形成するための開口は、予め設けておく。また、この軒天換気材Ａは、上面板１を野縁２０に留め付けることにより設置されるものであるため、上面板１の幅方向両端縁部に、多数のビス孔１５が穿設される。
【００１７】
また、対向板７は、その上端を水平に折曲延長し、その延長部を上面板１の一半部１ａの裏面に当接させ、その端部を上面板１の一半部１ａの端部でくるむことにより、上面板１の一半部１ａに固定することができる。
【００１８】
通気材５は、短尺の幅方向（図１〜３において上下方向）に通気する多数の通気路５ａを有するもので、通例、幅方向に抜ける通気路を並設したプラスチック板を多数段積層し、熱線で溶断して所定幅にすると共に一体化する公知の方法により製造することができる（特許第２６１０３４２号公報等参照）。また、熱膨張材４は長尺の板状であって、空気流入口１１の上側において、通気材収納部３の内方側側面６と通気材５とに挟持される。熱膨張材４は必ずしも一連のものである必要はなく、長尺のものを並置した不連続のものであってもよい。通例、熱膨張材４は通気材５とは別体とされるが、通気材５の製造時にその中間部に挟入して、通気材５と一体にされることもある（図４参照）。
【００１９】
上記構成の軒天換気材Ａは、後述するように、軒天部の種々の箇所に設置可能であるが、そのいずれの場合においても空気は、内方側側面６の下部から底面９にかけて開設されている多数の空気流入口１１から空気流入空間１０内に入り、そこから通気材５の下面に開口している無数の通気路内に入って上昇し、上面開口から放出される。
【００２０】
そして、火災等の有事には、熱膨張材４が膨張して空気流入空間１０及び空気流入口１１を完全に閉塞するので、火炎が、軒天換気材Ａを通って軒内に入り込むことが阻止される。また、空気流入口１１から入り込んでくる可能性のある雨雪は、細くて長い通気路を上昇して通過することができないため、雨雪が侵入することが防止される。
【００２１】
次いで、図５乃至７を参照しつつ、本発明に係る軒天換気材Ａの施工方法について説明する。なお、図５乃至７において、符号２０は野縁、２１は軒天材、２３は胴縁、２４は吊木、２５は下地材、２６は鼻隠しである。
【００２２】
図６は、本発明に係る軒天換気材Ａを、野縁２０が水平の軒天に設置する場合の収まり状態を示すものである。図６（Ａ）に示す例は、軒天換気材Ａを壁元に設置する場合で、通気材５が外壁材２２側にくるようにして設置する場合（図６（Ａ）参照）と、通気材５が鼻先側にくるようにして設置する場合とがある。いずれの場合も、上面板１を野縁２０の裏面に留め付け、軒天材２１の端部を軒天材装入部１２又は軒天材装入部１３に装入する。
【００２３】
図６（Ｂ）に示す例は、軒天換気材Ａを野縁２０の中間部に設置する場合の収まり状態を示すもので、この場合は軒天換気材Ａを野縁２０の中間部に留め付ける。図示した例では、通気材５が鼻先側にくるように設置されているので、壁元側の軒天材２１の端部が軒天材装入部１３に装入固定され、また、鼻先側の軒天材２１の端部が軒天材装入部１２に装入固定される。
【００２４】
図６（Ｃ）に示す例は、軒天換気材Ａを鼻先に設置する場合の収まり状態を示すもので、この場合は、通気材５が鼻先側にくるように設置されているので、軒天材２１の端部が軒天材装入部１３に装入固定される。
【００２５】
図７は、本発明に係る軒天換気材Ａを、野縁２０が勾配を有する軒天に設置する場合の収まり状態を示すものである。図７（Ａ）に示す例は、軒天換気材Ａを壁元に設置する場合で、そこに示される例では、通気材５が外壁材２２側にくるようにしてその上面板１が野縁２０の裏面に留め付けられ、軒天材２１の端部が軒天材装入部１３に装入固定されている。
【００２６】
図７（Ｂ）に示す例は、軒天換気材Ａを野縁２０の中間部に設置する場合の収まり状態を示すもので、そこに示される例では、通気材５が鼻先側にくるようにしてその上面板１が野縁２０の裏面に留め付けられ、壁元側の軒天材２１の端部が軒天材装入部１３に装入固定され、また、鼻先側の軒天材２１の端部が軒天材装入部１２に装入固定される。
【００２７】
図７（Ｃ）に示す例は、軒天換気材Ａを鼻先に設置する場合の収まり状態を示すもので、そこに示される例では、通気材５が鼻先側にくるようにしてその上面板１が野縁２０から下地材２５にかけて留め付けられ、軒天材２１の端部が軒天材装入部１３に装入固定される。
【産業上の利用可能性】
【００２８】
本発明に係る軒天換気材Ａは、シンプルな構成で、防耐火性能並びに通気性能に優れ、軒天の種々の箇所に設置可能で、十分な空気流入空間を確保することができるものであって、その産業上の利用可能性は大である。
【符号の説明】
【００２９】
Ａ          軒天換気材  
１          上面板
１ａ        一半部
１ｂ        他半部
２          通気部
３          通気材収納部
４          熱膨張材
５          通気材
５ａ        通気路
６          内方側側面
７          対向板
７ａ        延長部
８          外方側側面
９          底面
９ａ        底面延長部
１０        空気流入空間
１１        空気流入口
１２        軒天材装入部
１３        軒天材装入部
１５        ビス孔
２０        野縁
２１        軒天材
２２        外壁材
２３        胴縁
２４        吊木
２５        下地材
２６        鼻隠し
【図１】
2019112781.tif 000003
【図２】
2019112781.tif 000004
【図３】
2019112781.tif 000005
【図４】
2019112781.tif 000006
【図５】
2019112781.tif 000007
【図６】
2019112781.tif 000008
【図７】
2019112781.tif 000009